(57)【特許請求の範囲】
【請求項１】
少なくとも前面を開口した箱体本体と、該箱体本体に収納した回路遮断器と、前記箱体本体の開口を施蓋する蓋体と、該蓋体の前記回路遮断器の操作ハンドルに対向する箇所に設けた開口部と、該開口部から露出する前記回路遮断器の前記操作ハンドルを施蓋するカバーとを具備する回路遮断器収納箱において、前記カバーの左右両端の上下端部に係合突起を設け、前記蓋体の開口部の左右両端の上下端部に前記カバーの係合突起が係脱する係合溝を設け、該係合溝は前記カバーの係合突起を奥行き方向に案内する縦案内部と、前記係合突起を幅方向に案内する横案内部と、前記カバーの開閉時の軸受け部とから成り、前記蓋体の係合溝の横案内部は幅が狭く形成されるとともに、前記カバーの係合突起は横長形状に形成され、前記カバーが閉塞した状態又は前記蓋体に接近した状態の場合だけ前記横案内部を左右にスライドできることを特徴とする回路遮断器収納箱。
【発明の詳細な説明】
【０００１】
【発明の属する技術分野】
本発明は、回路遮断器を収納した回路遮断器収納箱の蓋体に設けられるカバーの開閉構造に関する。
【０００２】
【従来の技術】
従来、図８に示すように回路遮断器収納箱１１は、前面を開口した箱体本体１２と、箱体本体１２に収納した回路遮断器１３と、箱体本体１２の開口を施蓋する蓋体１４と、蓋体１４の回路遮断器１３の操作ハンドル１３ａに対向する箇所に設けた開口部１５と、開口部１５から露出する回路遮断器１３の操作ハンドル１３ａを施蓋するカバー１６とで構成している。カバー１６は左右両端の一方の上下端部にカバー係合部１７ａが設けられ、他方の上下端部にカバー係合軸部１７ｂが設けられ、蓋体１４は開口部１５の左右両端の上下端部に蓋体係合部１８が設けられ、この蓋体係合部１８にカバー係合部１７ａとカバー係合軸部１７ｂを係合させて蓋体１４にカバー１６を取り付けている。カバー１６は一方側のカバー係合軸部１７ｂを回動軸に回動し、カバー１６の他方側を開閉することができる。
【０００３】
【発明が解決しようとする課題】
上記従来の回路遮断器収納箱１１は、設置場所によってカバー１６が開閉できるように開閉方向を変更しなければならない。カバー１６は形状が左右で異なるので、図９に示すようにカバー１６を蓋体１４から一旦取り外し、カバー１６を上下逆にして蓋体１４に取り付けなければならず、作業に手間がかかっていた。また、カバー１６を取り外した際に紛失や損傷の虞があった。
【０００４】
【課題を解決するための手段】
上記従来の回路遮断器収納箱の問題点に鑑み、本発明の目的は、カバーを蓋体から取り外すことなく、左右何れの方向でも開閉することができる回路遮断器収納箱を提供するもので、その構造は、少なくとも前面を開口した箱体本体と、箱体本体に収納した回路遮断器と、箱体本体の開口を施蓋する蓋体と、蓋体の回路遮断器の操作ハンドルに対向する箇所に設けた開口部と、開口部から露出する回路遮断器の操作ハンドルを施蓋するカバーとを具備する回路遮断器収納箱において、カバーの左右両端の上下端部に係合突起を設け、蓋体の開口部の左右両端の上下端部にカバーの係合突起が係脱する係合溝を設け、係合溝はカバーの係合突起を奥行き方向に案内する縦案内部と、係合突起を幅方向に案内する横案内部と、カバーの開閉時の軸受け部とから成り、蓋体の係合溝の横案内部は幅が狭く形成されるとともに、カバーの係合突起は横長形状に形成され、カバーが閉塞した状態又は蓋体に接近した状態の場合だけ横案内部を左右にスライドできることである。
【０００５】
【発明の実施の形態】
請求項１に記載の回路遮断器収納箱によれば、少なくとも前面を開口した箱体本体と、箱体本体に収納した回路遮断器と、箱体本体の開口を施蓋する蓋体と、蓋体の回路遮断器の操作ハンドルに対向する箇所に設けた開口部と、開口部から露出する回路遮断器の操作ハンドルを施蓋するカバーとを具備する回路遮断器収納箱において、カバーの左右両端の上下端部に係合突起を設け、蓋体の開口部の左右両端の上下端部にカバーの係合突起が係脱する係合溝を設け、係合溝はカバーの係合突起を奥行き方向に案内する縦案内部と、係合突起を幅方向に案内する横案内部と、カバーの開閉時の軸受け部とから成り、蓋体の係合溝の横案内部は幅が狭く形成されるとともに、カバーの係合突起は横長形状に形成され、カバーが閉塞した状態又は蓋体に接近した状態の場合だけ横案内部を左右にスライドできることにより、カバーを蓋体から取り外すことなく、左右何れの方向でも開閉することができ、カバーの開放時に蓋体から脱落しない。
【０００６】
【実施例】
本発明に係る回路遮断器収納箱の一実施例を図１〜図６の添付図面に基づいて説明する。
【０００７】
図１に示すように回路遮断器収納箱１は、前面を開口した箱体本体２と、箱体本体２に収納した回路遮断器３と、箱体本体２の開口を施蓋する蓋体４と、蓋体４の回路遮断器３の操作ハンドル３ａに対向する箇所に設けた開口部５と、開口部５から露出する回路遮断器３の操作ハンドル３ａを施蓋するカバー６とで構成している。
【０００８】
図２に示すようにカバー６は、回路遮断器３の状態を外部から確認可能に透明体で形成され、左右両端の上下端部に横長形状の係合突起７が形成されている。
【０００９】
図３に示すように蓋体４は、開口部５の左右両端の上下端部にカバー６の係合突起７が係脱する係合溝８が形成されている。係合溝８は、図４に示すようにカバー６の係合突起７を蓋体４の奥行き方向に案内する縦案内部８ａと、カバー６の係合突起７を蓋体４の幅方向に案内する横案内部８ｂと、カバー６の開閉時の軸受け部８ｃから成っている。横案内部８ｂは、幅が狭く形成され、カバー６が閉塞した状態又はカバー６が蓋体４に接近した状態の場合だけ係合突起７が左右に移動できるようになっている。
【００１０】
蓋体４にカバー６を取り付けるには、蓋体４の左右何れか一方の係合溝８の縦案内部８ｂにカバー６の一方側の係合突起７を挿入し、係合突起７が突き当たったところでカバー６の他方側をなるべく閉塞させ、カバー６の係合突起７が係合溝８の横案内部８ｂを移動するようにカバー６をスライドさせ、係合突起７が係合溝８の軸受け部８ｃに突き当たったところで、カバー６の他方側の係合突起７を他方側の係合溝８の縦案内部８ａに挿入する。そして、カバー６が勝手に開放しないように左右の係合突起７が夫々の係合溝８の横案内部８ｂに位置するようにカバー６をスライドさせることにより取り付けられる。
【００１１】
図５に示すようにカバー６の左側を開放するには、カバー６が閉塞した状態からカバー６を右方向にスライドさせ、カバー６の右側の係合突起７を蓋体４の右側の係合溝８の軸受け部８ｃに移動させる。このとき、カバー６の左側の係合突起７は左側の係合溝８の縦案内部８ａに移動しているのでカバー６の右側の係合突起７を回動軸にカバー６を開放することができる。
【００１２】
図６に示すようにカバー６の右側を開放するには、カバー６が閉塞した状態からカバー６を左方向にスライドさせ、カバー６の左側の係合突起７を蓋体４の左側の係合溝８の軸受け部８ｃに移動させる。このとき、カバー６の右側の係合突起７は右側の係合溝８の縦案内部８ａに移動しているのでカバー６の左側の係合突起７を回動軸にカバー６を開放することができる。
【００１３】
カバー６が開放した状態では、カバー６の係合突起７は蓋体４の係合溝８の横案内部８ｂを移動できないので脱落することがない。
【００１４】
尚、本実施例において、カバー６の係合突起７を横長形状に形成し、蓋体４の係合溝８の横案内部８ｂの幅を狭く形成したが、例えば、図７に示すように蓋体４の係合溝８の縦案内部８ａ又は横案内部８ｂにカバー６の開放防止部９やカバー６の左右ずれ防止部１０を形成する等、カバー６の係合突起７及び蓋体４の係合溝８の形状について限定はない。
【００１５】
【発明の効果】
以上のように本発明に係る回路遮断器収納箱は、少なくとも前面を開口した箱体本体と、箱体本体に収納した回路遮断器と、箱体本体の開口を施蓋する蓋体と、蓋体の回路遮断器の操作ハンドルに対向する箇所に設けた開口部と、開口部から露出する回路遮断器の操作ハンドルを施蓋するカバーとを具備する回路遮断器収納箱において、カバーの左右両端の上下端部に係合突起を設け、蓋体の開口部の左右両端の上下端部にカバーの係合突起が係脱する係合溝を設け、係合溝はカバーの係合突起を奥行き方向に案内する縦案内部と、係合突起を幅方向に案内する横案内部と、カバーの開閉時の軸受け部とから成り、蓋体の係合溝の横案内部は幅が狭く形成されるとともに、カバーの係合突起は横長形状に形成され、カバーが閉塞した状態又は蓋体に接近した状態の場合だけ横案内部を左右にスライドできることにより、カバーを蓋体から取り外すことなく、左右何れの方向でも開閉することができ、カバーの開放時に蓋体から脱落しないという優れた効果がある。
【図面の簡単な説明】
【図１】  本発明に係る回路遮断器収納箱を示す外観斜視図である。
【図２】  回路遮断器収納箱のカバーであり、（ａ）は正面図を示し、（ｂ）は底面図を示す。
【図３】  回路遮断器収納箱の蓋体の正面図である。
【図４】  図３のＢ−Ｂ線矢視断面図である。
【図５】  回路遮断器収納箱のカバーを右側に開く方法を示し、（ａ）はカバーが閉塞した状態、（ｂ）はカバーが開放した状態である。
【図６】  回路遮断器収納箱のカバーを右側に開く方法を示し、（ａ）はカバーが閉塞した状態、（ｂ）はカバーが開放した状態である。
【図７】  本発明に係る回路遮断器収納箱の変形実施例を示す蓋体の係合溝の拡大図である。
【図８】  従来の回路遮断器収納箱を示す外観斜視図である。
【図９】  従来の回路遮断器収納箱のカバーを着脱する様子を示す正面図である。
【符号の説明】
１      回路遮断器収納箱
４      蓋体
５      開口部
６      カバー
７      係合突起
８      係合溝
８ａ    縦案内部
８ｂ    横案内部
８ｃ    軸受け部
【図１】
0004614409.tif 000002
【図２】
0004614409.tif 000003
【図３】
0004614409.tif 000004
【図４】
0004614409.tif 000005
【図５】
0004614409.tif 000006
【図６】
0004614409.tif 000007
【図７】
0004614409.tif 000008
【図８】
0004614409.tif 000009
【図９】
0004614409.tif 000010